(57)【要約】【課題】本発明は、確実に真贋判定を行うことが可能であると共に、より一層高度な偽造防止効果を発現し、デザインの自由度の増加ならびに可視性の向上を実現することができる回折格子を有する情報記録媒体及びその情報記録媒体の情報認証装置を提供することを目的とする。【解決手段】表面に光散乱要素を有する微小な回折格子要素の複数個が基板表面に配置されており、これら複数個の回折格子要素は秘匿情報の全部又は一部を保持しており、光源からの照明光の照射に基づく散乱光及び回折光の全部又は一部が空間上の所定領域に入射するように矩形形状、格子間隔及び格子角度が設定されていると共に、少なくとも２個以上の回折格子要素の組み合わせからなる回折格子要素群からの光散乱及び回折光の全部又は一部が入射する所定領域における再生情報和により、所定の秘匿情報がパターン化されるようになっていることを特徴とする。【選択図】図１
2007223195.tif 000002
【特許請求の範囲】
【請求項１】
表面に光散乱要素を有する微小な回折格子要素の複数個が基板表面に配置されており、これら複数個の回折格子要素は秘匿情報の全部又は一部を保持しており、光源からの照明光の照射に基づく散乱光及び回折光の全部又は一部が空間上の所定領域に入射するように矩形形状、格子間隔及び格子角度が設定されていると共に、少なくとも２個以上の回折格子要素の組み合わせからなる回折格子要素群からの光散乱及び回折光の全部又は一部が入射する所定領域における再生情報和により、所定の秘匿情報がパターン化されるようになっていることを特徴とする回折格子を有する情報記録媒体。
【請求項２】
表面に光散乱要素を有する微小な回折格子要素の複数個が基板表面に配置されており、これら複数個の回折格子要素は秘匿情報の全部又は一部を保持しており、光源からの照明光の照射に基づく散乱光及び回折光が空間上の所定領域に入射するように矩形形状、格子間隔及び格子角度が設定されていると共に、少なくとも２個以上の回折格子要素の組み合わせからなる回折格子要素群を含んでおり、回折格子要素群からの散乱光及び回折光が入射する所定領域における再生情報和により、所定の秘匿情報がパターン化されるようになっていることを特徴とする回折格子を有する情報記録媒体の真贋を判定するための装置であって、光源と、この光源から回折格子要素への照明光に基づく散乱光及び回折光が入射する所定領域内でのこれら散乱光及び回折光の組み合わせによってパターン化される秘匿情報を読み取るための読み取り手段と、この読み取り手段からの情報に基づいて真贋判定を行う判定手段とを少なくとも具備していることを特徴とする情報記録媒体の情報認証装置。
【請求項３】
前記光源からの照明光が回折格子要素に照射され、散乱及び回折された後に散乱光及び回折光が入射する所定領域の近傍に回折像を結像するための投影スクリーンが配置されていると共に、この投影スクリーンに結像された散乱像及び回折像を情報読み取り手段が読み取って電気信号に変換するようになっていることを特徴とする請求項２記載の情報記録媒体の情報認証装置。
【請求項４】
前記光源からの照明光が回折格子要素に照射され、散乱及び回折された後に入射する所定領域の近傍に情報読み取り手段の撮像レンズの焦点位置が合致するように設定されていることを特徴とする請求項２記載の情報記録媒体の情報認証装置。
【請求項５】
前記光源が、冷陰極管もしくは発光ダイオードと、反射板と、導光板とを組み合わせてなる平面光源であり、その前面に特定形状部分を遮光する遮光手段が設けられていることを特徴とする請求項２〜４のいずれかに記載の情報記録媒体の情報認証装置。
【発明の詳細な説明】
【技術分野】
【０００１】
本発明は、表面に光散乱要素を有する微小な回折格子要素の複数個が二次元平面に配置されている回折格子を有する情報記録媒体、特に微小な回折格子要素を配した基板面の平滑性が悪い場合でも、内在している秘匿情報の認証が確実にでき、その真贋判定を行えるようになっていると共に、微小な回折格子要素を配した領域を目視判別することが困難であり、より一層高度な偽造防止効果を発現し、デザインの自由度の増加ならびに可視性の向上を実現することができるようにした、回折格子を有する情報記録媒体と、この情報記録媒体に隠蔽されている秘匿情報を認証し、その真贋判定を確実に行えるようにした情報記録媒体と情報記録媒体の情報認証装置に関する。
【背景技術】
【０００２】
従来から、平面状の基板上に、表面に回折格子を有する微小な回折格子要素（ドット）を画素として複数個配置することにより得られる回折格子パターンを有する、ディスプレイなどの情報記録媒体が多く使用されてきている。
【０００３】
この内、２光束干渉による回折格子パターンを有する情報記録媒体は、２光束干渉による微小な干渉縞（以下、回折格子と称す）を、そのピッチ、方向、および光強度を変化させて感光性フィルムに次々と露光して得られるものである（例えば、特許文献１参照）。より具体的には、この回折格子パターンは、複数の微小な回折格子要素に分割されていると共に、各回折格子要素の回折格子におけるピッチ、空間周波数、さらには各回折格子要素の並べ方を適宜変化させ、さらに回折格子要素表面の回折格子の方向を各回折格子要素毎に変化させてなるものである。
【０００４】
さらに、回折格子パターンを有する情報記録媒体としては、例えば電子ビーム露光装置を用い、コンピュータ制御により、平面状の基板が載置されたＸＹステージを移動させ、基板の表面に微小な回折格子要素の複数個を絵柄状に記録・配置することにより得られる、所定絵柄の回折格子パターンが形成された情報記録媒体も提案されている（例えば、特許文献２参照）。
【０００５】
ところで、このような回折格子を有する情報記録媒体の真贋を、検証機で判定する方法としては、例えば、微小回折格子要素（ドット）の配列中に記録してあるパターン情報部分へレーザー光等を照射して回折光を得、それをセンサーで読み取り、記録し、それに基づき真贋判定を行う方法が採用されている（例えば、特許文献３参照）。
【０００６】
また、肉眼では観察できないパターン、もしくは識別できないパターンとして情報を記録しておき、レーザー光を用いた読み取り装置などを用いてその情報を読み取って真贋判定を行う方法も提案されている。
【０００７】
しかしながら、このような方法で真贋判定を行う場合、判定対象となる情報記録媒体の回折格子パターンが転写箔を利用した転写によって紙上に形成されたような場合には、転写する紙の平坦性が悪いため、転写箔が紙表面の凹凸に沿って曲げられるため、転写箔における回折格子の凹凸状態やパターンが忠実に紙上に転写・再現されず、延いては、判定時に正しい再生像を得ることができなくなってしまい、情報を明確に読み取ることが困難となっていた。
【０００８】
さらに、このような転写によって得られる回折格子を有する情報記録媒体は、特定の領域に情報を記録していることから、拡大鏡などの観察装置で容易に情報を記録している領
域を発見することができ、レーザー光を照射する角度さえ解ってしまえば、その情報を基に模造品を作製することも可能となってしまう。
【０００９】
このような問題を解決するために、目視による認識が不能な大きさに形成され、回折構造の単位画像によって構成されている、認証コードを記録し、レーザー光を用いた読取装置などを用いてその情報を読み取って真贋判定を行う方法が提案されている。（特許文献４参照）
しかしながら、このような方法で真贋の判定を行う場合、判定対象となる情報記録媒体の回折格子パターンが転写箔を利用した転写によって紙上に形成されたような場合には、転写する紙の平坦性が悪いため、転写箔が紙表面の凹凸に沿って曲げられるため、転写箔における回折格子の凹凸状態やパターンが忠実に紙上に転写・再現されず、延いては判定時に正しい再生像を得ることが出来なくなってしまい、情報を明確に読み取ることが困難となってしまう。
【特許文献１】特開昭６０−１５６００４号公報
【特許文献２】米国特許第５０５８９９２号明細書
【特許文献３】特開平５−５０７８８号公報
【特許文献４】特開２００３−２１５３１９号公報
【発明の開示】
【発明が解決しようとする課題】
【００１０】
本発明は、上記の問題点に鑑みなされたもので、表面に光散乱要素を有する微小な回折格子要素を配した基板の表面平滑性が悪い場合でも、確実に真贋判定を行うことが可能であると共に、所定の秘匿情報を記録した領域を判別することが困難であり、より一層高度な偽造防止効果を発現し、デザインの自由度の増加ならびに可視性の向上を実現することができる回折格子を有する情報記録媒体及び情報記録媒体の情報認証装置を提供することを目的とする。
【課題を解決するための手段】
【００１１】
以上の目的を達成するために、請求項１に記載の発明は、表面に光散乱要素を有する微小な回折格子要素の複数個が基板表面に配置されており、これら複数個の回折格子要素は秘匿情報の全部又は一部を保持しており、光源からの照明光の照射に基づく散乱光及び回折光の全部又は一部が空間上の所定領域に入射するように矩形形状、格子間隔及び格子角度が設定されていると共に、少なくとも２個以上の回折格子要素の組み合わせからなる回折格子要素群からの光散乱及び回折光の全部又は一部が入射する所定領域における再生情報和により、所定の秘匿情報がパターン化されるようになっていることを特徴とする回折格子を有する情報記録媒体である。
【００１２】
また、請求項２に記載の発明は、表面に光散乱要素を有する微小な回折格子要素の複数個が基板表面に配置されており、これら複数個の回折格子要素は秘匿情報の全部又は一部を保持しており、光源からの照明光の照射に基づく散乱光及び回折光が空間上の所定領域に入射するように矩形形状、格子間隔及び格子角度が設定されていると共に、少なくとも２個以上の回折格子要素の組み合わせからなる回折格子要素群を含んでおり、回折格子要素群からの散乱光及び回折光が入射する所定領域における再生情報和により、所定の秘匿情報がパターン化されるようになっていることを特徴とする回折格子を有する情報記録媒体の真贋を判定するための装置であって、光源と、この光源から回折格子要素への照明光に基づく散乱光及び回折光が入射する所定領域内でのこれら散乱光及び回折光の組み合わせによってパターン化される秘匿情報を読み取るための読み取り手段と、この読み取り手段からの情報に基づいて真贋判定を行う判定手段とを少なくとも具備していることを特徴とする情報記録媒体の情報認証装置である。
【００１３】
また、請求項３に記載の発明は、請求項２記載の情報記録媒体の情報認証装置において、前記光源からの照明光が回折格子要素に照射され、散乱及び回折された後に散乱光及び回折光が入射する所定領域の近傍に回折像を結像するための投影スクリーンが配置されていると共に、この投影スクリーンに結像された散乱像及び回折像を情報読み取り手段が読み取って電気信号に変換するようになっていることを特徴とする。
さらにまた、請求項４に記載の発明は、請求項２記載の情報記録媒体の情報認証装置において、前記光源からの照明光が回折格子要素に照射され、散乱及び回折された後に入射する所定領域の近傍に情報読み取り手段の撮像レンズの焦点位置が合致するように設定されていることを特徴とする。
【００１４】
また、請求項５に記載の発明は、請求項２〜４のいずれかに記載の情報記録媒体の情報認証装置において、前記光源が、冷陰極管もしくは発光ダイオードと、反射板と、導光板とを組み合わせてなる平面光源であり、その前面に特定形状部分を遮光する遮光手段が設けられていることを特徴とする。
【発明の効果】
【００１５】
本発明の回折格子を有する情報記録媒体は、微小な回折格子要素を配した基板面の平滑性が悪い場合でも、確実に真贋判定を行うことが可能であると共に、微小な回折格子要素を配置した領域を判別することが困難であり、より一層高度な偽造防止効果を発現し、デザインの自由度の増加ならびに可視性の向上を実現することができる。
【００１６】
また、本発明の情報記録媒体の情報認証装置は、所定の光源で照明することで、真贋判定を行おうとする情報記録媒体の回折格子要素配置面における凹凸の影響を少なくすることができ、内在する秘匿情報の認識と判定を確実に行うことが可能である。
【発明を実施するための最良の形態】
【００１７】
以下、本発明の一実施例としての実施形態について図面を参照して説明する。図１は、本発明の回折格子を有する情報記録媒体の構成と、この回折格子を有する情報記録媒体の真贋を判定するための、情報記録媒体の情報認証装置の概略の構成を示す説明図である。
【００１８】
回折格子を有する情報記録媒体は、表面に光散乱要素を有する微小な回折格子要素の複数個が基板表面に配置されており、これら複数個の回折格子要素は秘匿情報の全部又は一部を保持しており、所定の光源からの照明光が照射されたときの散乱光及び回折光が、空間上の所定領域に入射するように矩形形状及び格子間隔および格子角度が設定されていると共に、少なくとも２個以上の回折格子要素の組み合わせからなる回折格子要素群を含んでおり、回折格子要素群からの散乱光及び回折光が入射する所定領域における再生情報和により所定の秘匿情報がパターン化されるようになっている。
【００１９】
より具体的には、この回折格子を有する情報記録媒体は、表面に光散乱要素を有する微小な回折格子要素の複数個（１ａ、１ｂ、１ｃ、１ｄ）が基板の表面に配置されており、回折格子要素１ａ、１ｂ、１ｃ、１ｄで一つの回折格子要素群１を構成している。
【００２０】
一つの回折格子要素群１の回折格子要素１ａ、１ｂ、１ｃ、１ｄは、所定の面積を持つ光源からの照明光が照射された時の散乱光及び回折光が空間上の所定領域に入射するように、それらの矩形形状及び格子間隔及び格子角度がそれぞれ設定されている。そして、回折格子を有する情報記録媒体は、これらの少なくとも２個以上の回折格子要素の組み合わせになる回折格子要素群を含むと共に、回折格子要素群に対応する空間上の所定領域における再生情報和により所定の秘匿情報がパターン化されるようになっている。
【００２１】
一方、情報記録媒体の情報認証装置は、上記した構成の回折格子を有する情報記録媒体
の真贋を認証するための装置であって、所定の光源と、この光源から本発明の回折格子を有する情報記録媒体上の回折格子要素１ａ、１ｂ、１ｃ、１ｄへ照明光を照射することによってのみパターン化される秘匿情報を読み取るための情報読み取り手段と、この情報読み取り手段からの情報に基づいて真贋判定を行う判定手段を少なくとも具備してなるものである。
【００２２】
図１において、平面状の光源からの照明光は、各回折格子要素１ａ、１ｂ、１ｃ、１ｄで設定された回折角度で回折及び散乱し、空間上の所定領域に入射し、投影スクリーン上に回折像（回折光の再生情報）が投影される。この時、回折格子要素１ａ、１ｂ、１ｃ及び１ｄで散乱及び回折した光がこの領域に入射するように光散乱要素の矩形形状、ならびに回折格子要素の格子間隔および格子角度を設定してある。
【００２３】
また、この回折格子を有する情報記録媒体の回折格子要素１ａ、１ｂ、１ｃ及び１ｄ以外の回折格子要素はこの領域には入射しないように設定してある。このため、回折格子を有する情報記録媒体に所定の光源より照明光を照明することで、上記各回折格子要素からの散乱光及び回折光が所定領域にそれぞれ入射し、投影スクリーン上に投影され、それらの組み合わせにより所定の秘匿情報がパターン化される。
本発明の回折格子を有する情報記録媒体においては、上述したように、所定領域のような、同一の領域を複数個配置されるようにし、これらの同一の領域の組み合わせにより所定の秘匿情報がパターン化（現出）するようになっていて、情報読み取り手段によりその存在が認識できるようになる。図１に示す例では、投影スクリーン上に秘匿情報が投影できるようになっており、この投影パターンを確認することにより、真贋判定を行うことができる。
【００２４】
このような真贋判定を行う場合、情報記録媒体上の回折格子要素が転写箔を利用した転写によって紙上に形成されたような場合には、転写箔上での回折格子要素の凹凸が紙表面の凹凸形状に沿った表面形状となってしまい、それを構成する回折格子要素からの散乱光及び回折光が当初計算された角度では射出されず、レーザー光などの面積の小さいビーム光を入射した場合には、広がりを持った回折光となってしまい、また、射出角度の変動が大きくなり、照射位置を僅かに変えただけでも射出角度が大きく振れてしまうので、回折光の機械読み取りが困難となり、延いては真贋の判定が不正確になってしまう。
【００２５】
ところが、図１に示すように、配置する回折格子要素の格子間隔及び格子角度の設定、ならびに光散乱要素の矩形形状の設定を適切に行うことで、基板表面の凹凸形状による射出角度の変動を最小限にでき、所望の領域に回折光が確実に入射するため、撮像素子などの情報読み取り手段による読み取りが正確に行われるようになる。
【００２６】
また、同一領域にその散乱光及び回折光が入射するように回折格子要素を基板上に配置する際に、秘匿情報のパターン化を担う回折格子要素を不規則に配置することにより、真贋判定を行う情報を記録した領域の判別を困難とすることができる。
【００２７】
一方、図２は、本発明の他の回折格子を有する情報記録媒体の構成と、この回折格子を有する情報記録媒体の真贋を判定するための、情報認証装置の概略の構成とこの装置を用いて行う秘匿情報の認証方法を模式的に示す説明図である。
【００２８】
この情報認証装置は、複数個の所定の光源２２、２３と、各光源２２、２３を切り替えて所定の回折格子要素群に照明光を照射するための切り替え手段２２ａ、２３ａと、この切り替え手段２２ａ、２３ａをそれぞれ動作させて順次回折格子要素群毎に照明光を照射させ、散乱及び回折された後に散乱光及び回折光が入射する所定領域のそれぞれを投影するための投影スクリーンと、この投影スクリーンに投影されたそれぞれの領域の組み合わ
せからの所定の秘匿情報のデータを読み取るための情報読み取り手段（レンズ、撮像素子等）とを少なくとも具備してなるものである。
【００２９】
光源２２と光源２３はそれぞれ異なる形状の面積を持った平面状の光源である。光源２２より照射された照明光は、回折格子要素２ａと回折格子要素２ｂによって回折し、また、光源２３より照射された照明光は、回折格子要素２ｃと回折格子要素２ｄによって散乱・回折して、投影スクリーン２７上に散乱像及び回折像が投影される。このようにして現出される秘匿情報はその構造が、図１で示したものよりも複雑であり、その解読をより一層困難とすることができる。
【００３０】
散乱光及び回折光が入射する所定領域の組み合わせによってパターン化されてなる秘匿情報は、情報読み取り手段を構成するレンズを介して、投影スクリーンに投影された像を秘匿情報として撮像素子上に記録する。そして、この記録データから所定の演算を行い、判定手段により真贋判定を行うことができる。
【００３１】
また、図１に示した例で説明したのと同様に、同一領域に回折光が入射する回折格子要素を基板上に配置する際に、秘匿情報のパターン化を担う回折格子要素群を不規則に配置することにより、情報記録媒体においては、真贋判定を行う情報を記録した領域を判別することが困難となる。
【図面の簡単な説明】
【００３２】
【図１】本発明の回折格子パターンを有する情報記録媒体の真贋を判定するための情報記録媒体の情報認証装置の概略の構成を示す説明図である。
【図２】本発明の回折格子パターンを有する情報記録媒体の真贋を判定するための、複数個の光源を有する情報記録媒体の情報認証装置の構成を示す説明図である。
【符号の説明】
【００３３】
１、２、３、４、５・・・回折格子要素群
１ａ、１ｂ、１ｃ、１ｄ・・・回折格子要素
１０、２０・・・基板
１１、２１・・・回折格子を有する情報記録媒体
１２、２２、２３・・・光源
１３、２４・・・照明光
１４、２５・・・散乱光及び回折光
１５、２６・・・散乱光及び回折光の全部又は一部が入射する領域
１６、２９・・・撮像素子
１７、３０・・・判定手段
２ａ、２ｂ、２ｃ、２ｄ、２ｅ、２ｆ・・・回折格子要素
１２、２２、２３・・・光源
２７・・・投影スクリーン
２８・・・レンズ
【図１】
2007223195.tif 000003
【図２】
2007223195.tif 000004